(57)【特許請求の範囲】
【請求項１】
親機および子機により成り、親機および子機間で音声および映像をそれぞれベースバンド伝送方式および周波数変調方式により伝送するモニタテレビ付きのインターホンシステムであって、親機は、キャリア信号を生成する手段を備え、子機は、キャリア信号を検出する手段と、待機給電状態から動作給電状態への変化後にキャリア信号を検出するまで音声出力をオフに保持し、キャリア信号の検出に応じて音声出力をオンにし、動作給電状態から待機給電状態への変化の際に音声出力をオフにする手段とを備えることを特徴とするインターホンシステム。
【請求項２】
親機および子機により成り、親機および子機間で音声および映像をそれぞれベースバンド伝送方式および周波数変調方式により伝送するモニタテレビ付きのインターホンシステムであって、親機は、子機に対する音声出力オン用のコマンドを生成する手段と、コマンドを変調する手段とを備え、子機は、親機からの信号を復調する手段と、復調した信号から音声出力オン用のコマンドを読み取る手段と、待機給電状態から動作給電状態への変化後に音声出力オン用のコマンドを読み取るまで音声出力をオフに保持し、音声出力オン用のコマンドの読取りに応じて音声出力をオンにし、動作給電状態から待機給電状態への変化の際に音声出力をオフにする手段とを備えることを特徴とするインターホンシステム。
【請求項３】
子機は、呼出を行う手段と、呼出があったことを記憶する手段と、呼出があったことが記憶されている際に動作給電状態にて音声出力をオンにする手段と、動作給電状態から待機給電状態への変化の際に呼出があったことの記憶を消去する手段とを備えることを特徴とする請求項１または２記載のインターホンシステム。
【発明の詳細な説明】
【０００１】
【発明の属する技術分野】
本発明は、親機および子機により成り、親機および子機間で音声および映像をそれぞれベースバンド伝送方式および周波数変調方式により伝送するモニタテレビ付きのインターホンシステムに関するものである。
【０００２】
【従来の技術】
図８および図９に従来のインターホンシステムの基本構成を示す。
【０００３】
図８のインターホンシステムは、親機Ａ１１および子機Ｂ１１により成り、親機Ａ１１および子機Ｂ１１間で音声信号および映像信号をそれぞれベースバンド伝送方式およびＦＭ（周波数変調）方式により伝送するもので、親機Ａ１１は、多重部１００、電源部１０１、呼出検出部１０２、映像受信・復調部１０３、モニタテレビ部１０４、スピーカアンプ部１０５、スピーカ部１０６、マイク部１０７、マイクアンプ部１０８および給電部１０９で構成され、子機Ｂ１１は、受電部２０１、多重部２００、呼出制御部２０２、カメラ部２０３、映像変調・送信部２０４、マイク部２０５、マイクアンプ部２０６、スピーカアンプ部２０７およびスピーカ部２０８で構成されている。
【０００４】
図９のインターホンシステムは、親機Ａ１２および子機Ｂ１２により成り、親機Ａ１２および子機Ｂ１２間で音声信号および映像信号をそれぞれＦＭ方式およびベースバンド伝送方式により伝送するもので、親機Ａ１２は、多重部１００、電源部１０１、呼出検出部１０２、映像受信部１０３ａ、モニタテレビ部１０４、復調・スピーカアンプ部１０５ａ、スピーカ部１０６、マイク部１０７、マイクアンプ・変調部１０８ａおよび給電部１０９で構成され、子機Ｂ１２は、受電部２０１、多重部２００、呼出制御部２０２、カメラ部２０３、映像送信部２０４ａ、マイク部２０５、マイクアンプ・変調部２０６ａ、復調・スピーカアンプ部２０７ａおよびスピーカ部２０８で構成されている。
【０００５】
これらの各インターホンシステムでは、例えば親機および子機はそれぞれ屋内および玄関先に設置され、これにより、子機のカメラ部で撮影した玄関先の映像を親機のモニタテレビ部により屋内で確認できると同時に、玄関先および屋内間で双方向の通話が可能となっている。
【０００６】
子機の動作に必要な電流は親機側の電源部から給電部を通じて供給されるが、通常、親機は、音声および映像の伝送を行う必要のないときには、インターホンシステムの低消費電流化を図るべく、給電部からの子機に対する給電電圧を低くする一方、子機側のカメラ部、映像変調・送信部（映像送信部）、マイク部およびスピーカアンプ部（復調・スピーカアンプ部）などを動作させる必要のあるときには、給電電圧を高くする制御を行う。以下、給電電圧の低い状態のことを待機給電状態と呼び、高い状態のことを動作給電状態と呼ぶ。
【０００７】
図９のインターホンシステムでは、双方向伝送となる音声信号をＦＭ方式で伝送するため、親機および子機の各々に変調器および復調器の一式を備える必要があるのに対し、図８のインターホンシステムでは、子機から親機への一方向伝送となる映像信号をＦＭ方式で伝送するため、親機および子機にそれぞれ復調器および変調器を備えるだけでよいので、特に屋内に副親機と呼ばれる増設親機や、玄関先に複数の子機を備える拡張システムにおいて、コスト面で有利となる。
【０００８】
ところで、このようなインターホンシステムに対して、「モニタ機能」の要望がユーザからあり、従来品でもこの機能を取り入れたものが存在する。ここに、「モニタ機能」とは、親機および子機間で通常の通話を行うものではなく、親機側から子機を起動し、屋内に居ながらにして玄関先の様子（音声、映像とも）を覗き見る機能のことである。この「モニタ機能」を付加機能としてインターホンシステムに設ける場合、子機側のスピーカ部の鳴動（屋内音声の音漏れ等）をなくす必要がある。
【０００９】
図１０および図１１に「モニタ機能」を備える従来のインターホンシステムの基本構成を示す。
【００１０】
図１０のインターホンシステムは、図８のインターホンシステムに「モニタ機能」を備えたもので、親機Ａ１３にはスイッチＳ２が設けられている。このスイッチＳ２は、親機から子機に至る音声信号の経路に設けられ、モニタ中はオフ状態になって屋内側の音声信号が子機側に伝送しないようにする。しかし、この方法では、「モニタ機能」を使用すると、親機が給電を行って子機を起動すると同時に、子機のスピーカアンプ部の電源が投入されるため、スピーカ部から「プツッ！」といった音（ポップノイズ）が発生してしまうという問題があった。
【００１１】
図１１のインターホンシステムは、図９のインターホンシステムに「モニタ機能」を備えたもので、親機Ａ１４にはスイッチＳ２が設けられ、子機Ｂ１４にはキャリア信号検出部２０９ａおよびスピーカアンプ電源制御部２１０が設けられている。このように、子機Ｂ１４に、親機Ａ１４からの音声のキャリア信号を検出するキャリア信号検出部２０９ａとこの出力により復調・スピーカアンプ部２０７ａの電源制御を行うスピーカアンプ電源制御部２１０とを設け、親機Ａ１４からそのスイッチＳ２のオフにより音声信号が到来しない間、復調・スピーカアンプ部２０７ａのスピーカアンプ電源を投入しないようにすれば、ポップノイズの発生を防止することができる。ただし、子機Ｂ１４のキャリア信号検出部２０９ａは、一般的なＦＭ復調器に標準的に備わっているキャリア検出機能を転用して実現したものである。
【００１２】
【発明が解決しようとする課題】
図１０に示すように、親機および子機間で音声信号および映像信号をそれぞれベースバンド伝送方式およびＦＭ方式により伝送するモニタテレビ付きのインターホンシステムでは、映像信号をＦＭ方式で子機から親機へのみ伝送しているため、親機から子機を制御する信号を伝送する手段がないという問題があった。
【００１３】
本発明は、上記事情に鑑みてなされたものであり、親機および子機間で音声および映像を伝送するための方式がそれぞれベースバンド伝送方式および周波数変調方式であっても、子機側の音声出力に鳴動を伴わないモニタ機能を付加しうるインターホンシステムを提供することを目的とする。
【００１４】
【課題を解決するための手段】
上記課題を解決するために、請求項１記載の発明は、親機および子機により成り、親機および子機間で音声および映像をそれぞれベースバンド伝送方式および周波数変調方式により伝送するモニタテレビ付きのインターホンシステムであって、親機は、キャリア信号を生成する手段を備え、子機は、キャリア信号を検出する手段と、待機給電状態から動作給電状態への変化後にキャリア信号を検出するまで音声出力をオフに保持し、キャリア信号の検出に応じて音声出力をオンにし、動作給電状態から待機給電状態への変化の際に音声出力をオフにする手段とを備えるのである。
【００１５】
この構成では、親機から送出されるキャリア信号により子機の音声出力を制御することができるので、子機を鳴動させることなくモニタ機能を使用することが可能となる。これにより、親機および子機間で音声および映像を伝送するための方式がそれぞれベースバンド伝送方式および周波数変調方式であっても、子機側の音声出力に鳴動を伴わないモニタ機能を付加することができる。
【００１６】
請求項２記載の発明は、親機および子機により成り、親機および子機間で音声および映像をそれぞれベースバンド伝送方式および周波数変調方式により伝送するモニタテレビ付きのインターホンシステムであって、親機は、子機に対する音声出力オン用のコマンドを生成する手段と、コマンドを変調する手段とを備え、子機は、親機からの信号を復調する手段と、復調した信号から音声出力オン用のコマンドを読み取る手段と、待機給電状態から動作給電状態への変化後に音声出力オン用のコマンドを読み取るまで音声出力をオフに保持し、音声出力オン用のコマンドの読取りに応じて音声出力をオンにし、動作給電状態から待機給電状態への変化の際に音声出力をオフにする手段とを備えるものである。
【００１７】
この構成では、親機から送出されるコマンドにより子機の音声出力を制御することができるので、子機を鳴動させることなくモニタ機能を使用することが可能となる上に、制御の信頼性の向上が実現でき、さらにその構成を利用して別のコマンドを伝送することにより、音声出力の制御以外の制御、例えば子機設置場所の明暗の変化に伴う照明のオン／オフ制御や、カラー／モノクロ撮像の切換制御等の付加的な機能が実現可能となる。これにより、親機および子機間で音声および映像を伝送するための方式がそれぞれベースバンド伝送方式および周波数変調方式であっても、子機側の音声出力に鳴動を伴わないモニタ機能を付加することができる。
【００１８】
請求項３記載の発明は、請求項１または２記載のインターホンシステムにおいて、子機は、呼出を行う手段と、呼出があったことを記憶する手段と、呼出があったことが記憶されている際に動作給電状態にて音声出力をオンにする手段と、動作給電状態から待機給電状態への変化の際に呼出があったことの記憶を消去する手段とを備えることを特徴とする。この構成では、子機から呼出があった時には、親機から子機へのキャリア信号もしくはコマンド信号の伝送なしに、子機自体で動作給電状態になると同時に音声出力が開始されるように制御され、さらに動作給電状態の解除により音声出力の制御状態を初期状態に戻すので、キャリア信号もしくはコマンド信号の伝送に伴う処理時間が短縮でき、さらに親機における処理の負担が軽減されるという効果を奏するばかりでなく、例えば子機の呼出釦の押下などでのみ通話モードに移行でき、親機からはモニタモードでのみ動作するようなシステムを構成することが可能となる。
【００１９】
【発明の実施の形態】
図１は本発明に係る第１実施形態のインターホンシステムを示す構成図で、この図を用いて以下に第１実施形態の説明を行う。
【００２０】
図１に示すインターホンシステム（以下単にシステムという）は、親機Ａ１および子機Ｂ１により成り、親機Ａ１および子機Ｂ１間で音声信号および映像信号をそれぞれベースバンド伝送方式および周波数変調方式により伝送するモニタテレビ付きのもので、モニタ機能を有している。
【００２１】
親機Ａ１は、子機Ｂ１との通信用の多重部１００と、当該親機Ａ１の各部（図１の破線および実線参照）に給電する電源部１０１と、多重部１００を介し子機Ｂ１からの呼出の有無を検出する呼出検出部１０２と、子機Ｂ１からの映像信号を、多重部１００を介して受信して復調する映像受信・復調部１０３と、この映像受信・復調部１０３で復調された映像信号により映像を映し出すモニタテレビ部１０４と、多重部１００を介した子機Ｂ１からの音声信号を増幅するスピーカアンプ部１０５と、このスピーカアンプ部１０５で増幅された音声信号により音声を出力するスピーカ部１０６と、音声入力用のマイク部１０７と、このマイク部１０７からの音声信号を増幅して多重部１００を介して子機Ｂ１に出力するマイクアンプ部１０８と、動作給電状態に入るとき、子機Ｂ１に対する給電電圧を高くし、待機給電状態に戻るとき、給電電圧を低くする給電部１０９とを図８に示す従来のシステムと同様に備えているほか、この従来のシステムとの相違点として、キャリア信号を生成するキャリア信号生成部１１０を備えている。
【００２２】
そして、親機Ａ１にはマイコンが使用され、このマイコンにより本システム全般の制御などの処理が行われる。例えば、給電部１０９などに対して、動作給電状態ないし待機給電状態への切替制御が行われる。具体的には、モニタ開始の操作が行われると、給電部１０９を通じて動作給電状態に切り替える制御が行われるほか、待機給電状態の際に呼出検出部１０２で呼出が検出されると、動作給電状態に移行して子機Ｂ１に対する給電電圧を高くし、待機給電状態に戻るとき、給電電圧を低くする制御などが行われる。
【００２３】
子機Ｂ１は、親機Ａ１との通信用の多重部２００と、この多重部２００を介して給電部１０９側から受電して当該子機Ｂ１の各部（図１の破線参照）に給電する受電部２０１と、操作に応じて呼出信号を、多重部２００を介して親機Ａ１に出力する呼出制御部２０２と、撮影用のカメラ部２０３と、このカメラ部２０３からの映像信号を変調して多重部２００を介して親機Ａ１に送信する映像変調・送信部２０４と、音声入力用のマイク部２０５と、このマイク部２０５からの音声信号を増幅して多重部２００を介して親機Ａ１に出力するマイクアンプ部２０６と、多重部２００を介した子機Ｂ１からの音声信号を増幅するスピーカアンプ部２０７と、このスピーカアンプ部２０７で増幅された音声信号により音声を出力するスピーカ部２０８とを図８に示す従来のシステムと同様に備えているほか、この従来のシステムとの相違点として、キャリア信号検出部２０９と、スピーカアンプ電源制御部２１０とを備えている。キャリア信号検出部２０９は、多重部２００を介し親機Ａ１からのキャリア信号の有無を検出するものである。スピーカアンプ電源制御部２１０は、待機給電状態から動作給電状態への変化後にキャリア信号を検出するまでの間、スピーカ部２０８による音声出力をオフに保持すべくスピーカアンプ部２０７を電源オフ状態にし、キャリア信号の検出に応じて音声出力をオンにすべくスピーカアンプ部２０７を電源オン状態にし、動作給電状態から待機給電状態への変化の際に音声出力をオフにすべくスピーカアンプ部２０７を電源オフ状態にするものである。
【００２４】
次に、上記構成のシステムのモニタ時における動作を説明する。ただし、本システムは待機給電状態にあるとする。
【００２５】
ユーザ（住人）が親機Ａ１のモニタ開始用の釦（図示せず）を押下などしてモニタ開始の操作を行うと、この操作を親機Ａ１内のマイコンが検出し、直ちに子機Ｂ１に対する給電状態を待機給電状態から動作給電状態に切り替える制御を行う。
【００２６】
このとき、親機Ａ１において、給電部１０９は、上記制御に従って動作給電状態に移行すべく子機Ｂ１に対する給電電圧を高くする一方、子機Ｂ１において、スピーカアンプ電源制御部２１０が初期状態としてスピーカアンプ部２０７を電源オフ状態にするため、スピーカアンプ部２０７には電源供給が行われない。従って、屋内側の音声が子機Ｂ１に漏れないばかりでなく、起動時のポップノイズの発生も防ぐことができる。
【００２７】
この後、ユーザがモニタを完了して本システムの使用を終えるべく、親機Ａ１のモニタ動作終了設定用の釦（図示せず）を押下などしてモニタ終了の操作を行うと、この操作を親機Ａ１内のマイコンが検出し、子機Ｂ１に対する給電状態を動作給電状態から待機給電状態に切り替える制御を行う。これにより、待機給電状態に戻る。
【００２８】
ここで、上記モニタの際、ユーザがモニタ状態から玄関先との通話状態に移行するべく、親機Ａ１の通話状態移行設定用の釦（図示せず）を押下などして通話の操作を行うと、この操作を親機Ａ１内のマイコンが検出する。
【００２９】
このとき、親機Ａ１において、キャリア信号生成部１１０が機能し、既定周波数を持つキャリア信号が生成され、多重部１００にて電源に重畳して子機Ｂ１に向けて送信される一方、子機Ｂ１において、動作給電状態でかつキャリア信号非検出状態にあるとき、キャリア信号検出部２０９を常に機能させ、親機Ａ１から送られてくる信号中からキャリア信号を抽出し続け、キャリア信号が一旦検出されると、スピーカアンプ電源制御部２１０によりスピーカアンプ部２０７を電源オン状態に保持する制御が行われる。これにより、親機Ａ１および子機Ｂ１間の通話が確立することとなる。
【００３０】
この後、ユーザが通話を完了して本システムの使用を終えるべく、上記モニタ動作終了設定用の釦を押下などしてモニタ終了の操作を行うと、上記同様、その操作を親機Ａ１内のマイコンが検出し、子機Ｂ１に対する給電状態を動作給電状態から待機給電状態に切り替える制御を行う。これにより待機給電状態に戻る。
【００３１】
このとき、子機Ｂ１内のスピーカアンプ電源制御部２１０は、給電状態が動作給電状態から待機給電状態に変化したことを契機に、スピーカアンプ部２０７を電源オフ状態の初期状態に戻す。これにより、次回のモニタ時の子機スピーカ鳴動防止機構が正常に動作することが保証される。
【００３２】
図２は本発明に係る第２実施形態のインターホンシステムを示す構成図で、この図を用いて以下に第２実施形態の説明を行う。
【００３３】
図２に示すシステムは、親機Ａ２および子機Ｂ２により成り、親機Ａ２および子機Ｂ２間で音声信号および映像信号をそれぞれベースバンド伝送方式および周波数変調方式により伝送するモニタテレビ付きのもので、モニタ機能を有している。
【００３４】
親機Ａ２は、図１のキャリア信号生成部１１０に代えて、子機スピーカ音声出力オンコマンド生成部（図では子機ＳＰ音声出力ＯＮコマンド生成部）１１１とコマンド変調部１１２とを備える以外は、第１実施形態の親機Ａ１と同様に構成されている。
【００３５】
子機Ｂ２は、図１のキャリア信号検出部２０９に代えて、信号復調部２１１と子機スピーカ音声出力オンコマンド読取部（図では子機ＳＰ音声出力ＯＮコマンド読取部）２１２とを備える以外は、第１実施形態の子機Ｂ１と同様に構成されている。
【００３６】
第１実施形態のシステムでは、スピーカアンプ２０７の電源制御がキャリア信号を利用して行われるのに対し、本実施形態のシステムでは、スピーカアンプ２０７の電源制御がコマンド信号を利用して行われる点で、両者の動作は異なり、以下、その異なる動作について説明する。
【００３７】
モニタの際、ユーザがモニタ状態から玄関先との通話状態に移行するべく、親機Ａ２の通話状態移行設定用の釦（図示せず）を押下などして通話の操作を行うと、この操作を親機Ａ２内のマイコンが検出する。
【００３８】
このとき、親機Ａ２において、子機スピーカ音声出力オンコマンド生成部１１１が機能して子機スピーカの音声出力オン用のコマンド（以下単にオンコマンドという）を生成し、コマンド変調部１１２が、オンコマンドを音声信号および映像信号と共に電源に重畳するために、変調を行い、高周波信号へ変換させた後、多重部１００を経由して子機Ｂ２に伝送する。他方、子機Ｂ２において、動作給電状態でかつオンコマンドの非検出状態にあるとき、信号復調部２１１が常に機能し、子機スピーカ音声出力オンコマンド読取部２１２が親機Ａ２から送られてくる信号中からオンコマンドを抽出し続け、オンコマンドを一旦検出すると、スピーカアンプ電源制御部２１０が機能してスピーカアンプ部２０７を電源オン状態に保持する。
【００３９】
このように、コマンドを用いて制御を行うことで、誤ってスピーカアンプ部２０７を電源オン状態にする確率が激減し、信頼性の高いシステムを提供することが可能となるばかりでなく、オンコマンド以外のコマンドを規定することで、子機Ｂ２に対する様々な制御を実現できることになる。
【００４０】
なお、第２実施形態において、コマンドの変調方式として、ＡＳＫ、ＦＳＫまたはＰＳＫを用いることができる。ＡＳＫの場合、振幅に情報が含まれるため、包絡線検波が可能であり、子機でのコマンド信号の復調が包絡線検波にて実現可能となって復調回路の構成が非常に簡単になる。ＦＳＫの場合、誤り率特性はＰＳＫよりも劣るものの、回路構成が比較的簡単になり、また包絡線が一定で振幅に情報がないので、レベル変動や雑音の影響が少ない。ＰＳＫの場合、他の変調方式と比較して同じＣ／Ｎに対する符号誤り率が小さく、また包絡線が一定で振幅に情報がないので、伝送路のレベル変動に非常に強い。
【００４１】
また、第１および第２実施形態において、回路構成を簡単にすべく、キャリア信号生成部１１０やコマンド変調部１１２に対してマイクアンプ部を兼用する構成にしてもよい。まず、図３および図４にそれぞれマイクアンプ部を兼用しない場合のキャリア信号生成部１１０およびコマンド変調部１１２の内部構成例を示す。
【００４２】
図３において、キャリア信号生成部１１０は、キャリアを発生するキャリア発生部１１０ａと、発生させたキャリアを増幅して多重部１００へ送出するアンプ部１１０ｂとにより構成される。このアンプ部１１０ｂは、親機Ａ１および子機Ｂ１間の配線距離が長くなると信号に減衰が生じ、子機Ｂ１側の受信特性が劣化するため、長距離伝送時でも子機Ｂ１側で十分な受信強度が得られるようにするために必要である。
【００４３】
図４において、コマンド変調部１１２は、変調を行う変調部１１２ａと、変調した信号を増幅して多重部１００へ送出するアンプ部１１２ｂとにより構成される。
【００４４】
次に、図５および図６にそれぞれマイクアンプ部を兼用する場合のキャリア信号生成部およびコマンド変調部の内部構成例を示す。ここで、図１および図２の両システムともに、集音用のマイク部１０７とその集音で得られる音声信号増幅用のマイクアンプ部１０８とを備えている。このマイクアンプ部１０８は、上述のキャリア増幅用のアンプ部１１０ｂや変調信号増幅用のアンプ部１１２ｂと同じ働きをする。
【００４５】
従って、図５に示すように、スイッチＳ１を用いてマイクアンプ部１０８の入力に、マイク部１０７の出力とキャリア発生部１１０ａの出力とを切替接続するようにし、これと同様、図６に示すように、スイッチＳ１を用いてマイクアンプ部１０８の入力に、マイク部１０７の出力と変調部１１２ａの出力とを切替接続するようにすれば、部品点数を削減でき、システムの低コスト化を図ることが可能になる。
【００４６】
ただし、通常伝送される音声信号の周波数帯域は数百Ｈｚ〜数ｋＨｚであるので、マイクアンプ部１０８についても同程度の帯域を持つだけで十分であるが、図５，図６に示すように、キャリアもしくは変調信号をも増幅させる場合には、より広い帯域特性を持ったアンプに構成する必要がある。
【００４７】
図７は本発明に係る第３実施形態のインターホンシステムを示す構成図で、この図を用いて以下に第３実施形態の説明を行う。
【００４８】
図７に示すシステムは、親機Ａ１および子機Ｂ３により成り、親機Ａ１および子機Ｂ３間で音声信号および映像信号をそれぞれベースバンド伝送方式および周波数変調方式により伝送するモニタテレビ付きのもので、モニタ機能を有している。
【００４９】
親機Ａ１は第１実施形態と同様のもので、子機Ｂ３は、呼出記憶部２１３とＯＲ回路２１４とをさらに備える以外は、第１実施形態の子機Ｂ１と同様に構成されている。
【００５０】
このシステムでは、モニタ状態から使用終了、もしくはモニタ状態から通話状態に移行した後の使用終了の動作に関しては、第１実施形態に準拠した動作を行う。
【００５１】
ところで、モニタテレビ付きのインターホンシステムでは、ここまでに述べてきたモニタモードでの使用よりも、玄関先に来客があり、子機の呼出釦を押下されることにより、動作状態に移行するような使用形態のほうがより一般的であるのは言うまでもない。
【００５２】
このとき、既述の各システムでは、子機からの呼出を親機で検出し、これを契機に動作給電を開始した後、キャリア信号もしくはコマンド信号を送信すれば、ようやく親機および子機間での通話ができる状態になるわけであるが、これでは通話可能状態に移行するまでの所要時間が長くなり、来客にとって違和感を与えてしまうおそれがある。
【００５３】
そこで、第３実施形態では、来客が呼出釦を押下するなどの呼出制御が行われると、子機Ｂ３内の呼出記憶部２１３にて、子機Ｂ３側で呼出があったことを記憶して、動作給電が始まると同時に、キャリア信号検出部２０９がキャリア信号を検出した際にスピーカアンプ電源制御部２１０を機能させるために送信する信号と同じものをスピーカアンプ電源制御部２１０に対し送信するようになっている。
【００５４】
スピーカアンプ電源制御部２１０の信号入力部にキャリア信号検出部２０９と呼出記憶部２１３の双方から送られてくる信号のうちいずれかを受信すれば、スピーカアンプ電源制御部２１０を機能させるようにするためのＯＲ回路２１４が設けられているので、キャリア検出によっても呼出制御によってもいずれの場合もスピーカアンプ電源制御部２１０を機能させることが可能となる。
【００５５】
これにより親機Ａ１側からのキャリア信号の送信がなくとも親機Ａ１および子機Ｂ３間を通話状態にすることが可能になる。
【００５６】
ただし、呼出記憶部２１３は、待機給電状態でも機能し、給電状態が待機給電状態から動作給電状態に遷移しても記憶状態を保持できるような回路構成をとっている。
【００５７】
また、給電状態が動作給電状態から待機給電状態に移行したときには、呼出記憶部２１３はクリアされるようになっており、これにより次回のモニタモードの動作保証がなされるわけである。
【００５８】
以上により、子機からは呼出釦の押下でのみ通話モードに移行でき、親機からはモニタモードでのみ動作するようなシステムにおいても、モニタ時の子機スピーカの鳴動を防止しつつ、子機からの呼出釦の押下で通話状態に移行することが可能となる。また、モニタ機能の付加的機能の提供、低コストでの提供、さらに通話状態への移行の際の処理時間の短縮化と処理負荷の軽減をも実現することができる。
【００５９】
【発明の効果】
以上のことから明らかなように、請求項１記載の発明によれば、親機および子機により成り、親機および子機間で音声および映像をそれぞれベースバンド伝送方式および周波数変調方式により伝送するモニタテレビ付きのインターホンシステムであって、親機は、キャリア信号を生成する手段を備え、子機は、キャリア信号を検出する手段と、待機給電状態から動作給電状態への変化後にキャリア信号を検出するまで音声出力をオフに保持し、キャリア信号の検出に応じて音声出力をオンにし、動作給電状態から待機給電状態への変化の際に音声出力をオフにする手段とを備えるので、親機および子機間で音声および映像を伝送するための方式がそれぞれベースバンド伝送方式および周波数変調方式であっても、子機側の音声出力に鳴動を伴わないモニタ機能を付加することができる。
【００６０】
請求項２記載の発明によれば、親機および子機により成り、親機および子機間で音声および映像をそれぞれベースバンド伝送方式および周波数変調方式により伝送するモニタテレビ付きのインターホンシステムであって、親機は、子機に対する音声出力オン用のコマンドを生成する手段と、コマンドを変調する手段とを備え、子機は、親機からの信号を復調する手段と、復調した信号から音声出力オン用のコマンドを読み取る手段と、待機給電状態から動作給電状態への変化後に音声出力オン用のコマンドを読み取るまで音声出力をオフに保持し、音声出力オン用のコマンドの読取りに応じて音声出力をオンにし、動作給電状態から待機給電状態への変化の際に音声出力をオフにする手段とを備えるので、親機および子機間で音声および映像を伝送するための方式がそれぞれベースバンド伝送方式および周波数変調方式であっても、子機側の音声出力に鳴動を伴わないモニタ機能を付加することができる。
【００６１】
請求項３記載の発明によれば、請求項１または２記載のインターホンシステムにおいて、子機は、呼出を行う手段と、呼出があったことを記憶する手段と、呼出があったことが記憶されている際に動作給電状態にて音声出力をオンにする手段と、動作給電状態から待機給電状態への変化の際に呼出があったことの記憶を消去する手段とを備えるので、キャリア信号もしくはコマンド信号の伝送に伴う処理時間が短縮でき、さらに親機における処理の負担が軽減されるという効果を奏するばかりでなく、例えば子機の呼出釦の押下などでのみ通話モードに移行でき、親機からはモニタモードでのみ動作するようなシステムを構成することが可能となる。
【図面の簡単な説明】
【図１】本発明に係る第１実施形態のインターホンシステムを示す構成図である。
【図２】本発明に係る第２実施形態のインターホンシステムを示す構成図である。
【図３】マイクアンプ部を兼用しない場合のキャリア信号生成部の内部構成例を示す図である。
【図４】マイクアンプ部を兼用しない場合のコマンド変調部の内部構成例を示す図である。
【図５】マイクアンプ部を兼用する場合のキャリア信号生成部の内部構成例を示す図である。
【図６】マイクアンプ部を兼用する場合のコマンド変調部の内部構成例を示す図である。
【図７】本発明に係る第３実施形態のインターホンシステムを示す構成図である。
【図８】従来のインターホンシステムの基本構成を示す図である。
【図９】従来のインターホンシステムの基本構成を示す図である。
【図１０】「モニタ機能」を備える従来のインターホンシステムの基本構成を示す図である。
【図１１】「モニタ機能」を備える従来のインターホンシステムの基本構成を示す図である。
【符号の説明】
Ａ１，Ａ２  親機
１００  多重部
１０１  電源部
１０２  呼出検出部
１０３  映像受信・復調部
１０４  モニタテレビ部
１０５  スピーカアンプ部
１０６  スピーカ部
１０７  マイク部
１０８  マイクアンプ部
１０９  給電部
１１０  キャリア信号生成部
１１１  子機スピーカ音声出力オンコマンド生成部
１１２  コマンド変調部
Ｂ１，Ｂ２，Ｂ３  子機
２００  多重部
２０１  受電部
２０２  呼出制御部
２０３  カメラ部
２０４  映像変調・送信部
２０５  マイク部
２０６  マイクアンプ部
２０７  スピーカアンプ部
２０８  スピーカ部
２０９  キャリア信号検出部
２１０  スピーカアンプ電源制御部
２１１  信号復調部
２１２  子機スピーカ音声出力オンコマンド読取部
２１３  呼出記憶部
２１４  ＯＲ回路
【図１】
0003835106.tif 000002
【図２】
0003835106.tif 000003
【図３】
0003835106.tif 000004
【図４】
0003835106.tif 000005
【図５】
0003835106.tif 000006
【図６】
0003835106.tif 000007
【図７】
0003835106.tif 000008
【図８】
0003835106.tif 000009
【図９】
0003835106.tif 000010
【図１０】
0003835106.tif 000011
【図１１】
0003835106.tif 000012